(57)【要約】 【課題】  例えば和太鼓用架台に好適で、熟練を要することなく、また楽器の音色を損なわず容易かつ安全に支持できる楽器用演奏架台を提供すること。          【解決手段】              基枠４に複数の支柱５〜７を立設する。  前記支柱５〜７の間に楽器収容空間Ｓを設ける。  前記各支柱５〜７の上端部に係止溝１２〜１４を形成する。  前記係止溝１２〜１４に支持部材３１〜３３の一側部を掛け止める。  前記支持部材３１〜３３の他側部を楽器２３の外側に配置した掛止部材２６に着脱可能に取り付ける。  前記支持部材３１〜３３を介して、前記支柱５〜７間に楽器２３を支持可能にした楽器用演奏架台であること。  前記係止溝１２〜１４に係止ピン１５,１７,１８を突設する。  前記支持部材３１〜３３を係止溝１２〜１４に係合可能に配置する。  前記支持部材３１〜３３の端部に複数の掛止孔３４,３５を設ける。  前記掛止孔３４,３５を前記係止ピン１５,１７,１８に着脱可能に挿入する。【選択図】  図１
2006349880.tif 000002
【特許請求の範囲】
【請求項１】
基枠に複数の支柱を立設し、該支柱の間に楽器収容空間を設けるとともに、前記各支柱の上端部に係止溝を形成し、該係止溝に支持部材の一側部を掛け止め、該支持部材の他側部を楽器の外側に配置した掛止部材に着脱可能に取り付け、前記支持部材を介して前記支柱間に楽器を支持可能にした楽器用演奏架台において、前記係止溝に係止ピンを突設するとともに、前記支持部材を係止溝に係合可能に配置し、該支持部材の端部に複数の掛止孔を設け、該掛止孔を前記係止ピンに着脱可能に挿入したことを特徴とする楽器用演奏架台
【請求項２】
前記各係止溝を楽器収容空間に向けて略放射状に配置した請求項１記載の楽器用演奏架台。
【請求項３】
前記係止溝の楽器収容空間側にテ−パ部を設け、該テ−パ部に前記支持部材を係合可能に配置した請求項１記載の楽器用演奏架台。
【請求項４】
前記楽器収容空間の下方に楽器を載置可能な補強枠を配置し、該補強枠の上部空間を解放した請求項１記載の楽器用演奏架台。
【請求項５】
前記支持部材を前記係止溝と略同幅に形成し、該支持部材を掛止部材に巻き掛け可能に設けるとともに、前記巻き掛けた支持部材の二つの折り返し片を係止溝に係合可能に配置し、各折り返し片の掛止孔を前記係止ピンに着脱可能に挿入した請求項１記載の楽器用演奏架台。
【請求項６】
前記折り返し片の一片を折り返し、該折り返し部を前記折り返し片の他片に重合して配置し、前記折り返し部に設けた二つの掛止孔を前記係止ピンに着脱可能に挿入した請求項５記載の楽器用演奏架台。
【発明の詳細な説明】
【技術分野】
【０００１】
本発明は、例えば和太鼓用架台に好適で、熟練を要することなく、また楽器の音色を損なわず容易かつ安全に支持できる楽器用演奏架台に関する。
【背景技術】
【０００２】
例えば和太鼓用架台として、略コ字形に枠組みした一対の支持脚部を備え、その一方の支持脚部の支持脚に複数のネジ孔を設け、他方の支持脚部の支持脚に調整ネジを差し込み可能な挿入孔を設け、前記一対の支持脚部を交差して組み付け、その交差部の前記ネジ孔に調整ネジをねじ込んで、前記支持脚の連結位置を選択可能にするとともに、その上端部に架設した接合部材の間に和太鼓の鼓板を設置し、平面打ちまたは斜め打ちを行なうものがある（例えば、特許文献１）。
【０００３】
しかし、この従来のものは、和太鼓を接合部材の間に掛け止める構造上、不安定で演奏時の振動によって和太鼓が位置ずれし脱落する惧れがあるとともに、和太鼓の下側鼓板を支持脚の上端部に接触させて設置するため、和太鼓の音色が損なわれるという問題があった。
【０００４】
また、別の太鼓台として、一対のベ−ス板材に複数の溝を形成し、該溝に太鼓支持板と補助板を係合してベ−ス板材を連結し、かつ前記溝を介し太鼓支持板と補助板の間隔を調整して、それらに和太鼓の底部または胴部を掛け止め、和太鼓の鼓板を種々の角度に斜状に設置し、そめ斜め打ちを実現するとともに、一対の太鼓支持板または補助板を溝に係合して、和太鼓の鼓板を水平に設置し、そめ平面打ちを実現するものがある（例えば、特許文献２）。
【０００５】
しかし、前記太鼓台はベ−ス板材を床面に設置する構造上、太鼓の演奏高さないし大きさが中形以上に制限されるとともに、和太鼓の下側鼓板を支持脚の上端部に接触させて設置するため、和太鼓の音色が損なわれるという問題があった。
【０００６】
このような問題を解決するものとして、架台に３本の支柱を立設し、該支柱間に和太鼓を上向きまたは斜め上向きに配置可能にするとともに、前記支柱の上端部に溝を形成し、該溝に締紐の一端部を挿通して緊縛し、他端部を太鼓の胴部に配置した締紐に掛け止め、前記支柱間に和太鼓を宙吊り状態で支持し、両側の鼓板を開放するものがある。
【０００７】
しかし、前記従来の架台は、締紐の緊縛作業に熟練を要し、未熟者では締紐の緊縛作業に時間が掛かるとともに、不安定で演奏中に和太鼓がずれ落ちる惧れがあって、使用上の利便性や安全性に問題があった。
【０００８】
【特許文献１】実開平５−３０８９４号公報
【特許文献２】特開２００４−１３０６９号公報
【発明の開示】
【発明が解決しようとする課題】
【０００９】
本発明はこのような問題を解決し、例えば和太鼓用架台に好適で、熟練を要することなく、また楽器の音色を損なわず容易かつ安全に支持できる楽器用演奏架台を提供することを目的とする。
【課題を解決するための手段】
【００１０】
請求項１の発明は、基枠に複数の支柱を立設し、該支柱の間に楽器収容空間を設けるとともに、前記各支柱の上端部に係止溝を形成し、該係止溝に支持部材の一側部を掛け止め、該支持部材の他側部を楽器の外側に配置した掛止部材に着脱可能に取り付け、前記支持部材を介して前記支柱間に楽器を支持可能にした楽器用演奏架台において、前記係止溝に係止ピンを突設するとともに、前記支持部材を係止溝に係合可能に配置し、該支持部材の端部に複数の掛止孔を設け、該掛止孔を前記係止ピンに着脱可能に挿入し、支持部材の掛止孔を係止ピンに挿入することによって、熟練を要することなく、楽器収容空間に楽器を容易に配置し得るようにしている。
【００１１】
請求項２の発明は、前記各係止溝を楽器収容空間に向けて略放射状に配置し、係止溝の外側への開口を抑制して、該係止溝に対する手指の接触と怪我の発生を未然に防止するとともに、係止溝に配置する支持部材の短小化を図るようにしている。
請求項３の発明は、前記係止溝の楽器収容空間側にテ−パ部を設け、該テ−パ部に前記支持部材を係合可能に配置し、鋭角部との接触による支持部材の磨耗を防止するとともに、テ−パ部の角部との接触によって、支持部材の張力を維持可能にしている。
請求項４の発明は、前記楽器収容空間の下方に楽器を載置可能な補強枠を配置し、該補強枠の上部空間を解放し、楽器を支持する際、補強枠に楽器を一旦収容し、楽器を合理的かつ容易に支持し得るようにしている。
【００１２】
請求項５の発明は、前記支持部材を前記係止溝と略同幅に形成し、該支持部材を掛止部材に巻き掛け可能に設けるとともに、前記巻き掛けた支持部材の二つの折り返し片を係止溝に係合可能に配置し、各折り返し片の掛止孔を前記係止ピンに着脱可能に挿入し、支持部材の一側部を掛止部材に簡便に掛け止められ、またその他側部の二位置を係止ピンに掛け止めて、支持部材を簡易かつ迅速に掛け止められるようにしている。
請求項６の発明は、前記折り返し片の一片を折り返し、該折り返し部を前記折り返し片の他片に重合して配置し、前記折り返し部に設けた二つの掛止孔を前記係止ピンに着脱可能に挿入し、支持部材を三層状に積層配置し、これらを係止ピンに掛け止めることによって、支持部材の支持強度を強化するようにしている。
【発明の効果】
【００１３】
請求項１の発明は、係止溝に係止ピンを突設するとともに、前記支持部材を係止溝に係合可能に配置し、該支持部材の端部に複数の掛止孔を設け、該掛止孔を前記係止ピンに着脱可能に挿入したから、支持部材の掛止孔を係止ピンに挿入することによって、熟練を要することなく、楽器収容空間に楽器を容易に配置することができる。
【００１４】
請求項２の発明は、前記各係止溝を楽器収容空間に向けて略放射状に配置し、係止溝の外側への開口を抑制したから、該係止溝に対する手指の接触と怪我の発生を未然に防止することができるとともに、係止溝に配置する支持部材の短小化を図ることができる。
請求項３の発明は、前記係止溝の楽器収容空間側にテ−パ部を設け、該テ−パ部に前記支持部材を係合可能に配置したから、鋭角部との接触による支持部材の磨耗を防止できるとともに、テ−パ部の角部との接触によって、支持部材の張力を維持することができる。
請求項４の発明は、前記楽器収容空間の下方に楽器を載置可能な補強枠を配置し、該補強枠の上部空間を解放したから、楽器を支持する際、補強枠に楽器を一旦収容し、楽器を合理的かつ容易に支持することができる。
【００１５】
請求項５の発明は、前記支持部材を前記係止溝と略同幅に形成し、該支持部材を掛止部材に巻き掛け可能に設けるとともに、前記巻き掛けた支持部材の二つの折り返し片を係止溝に係合可能に配置し、各折り返し片の掛止孔を前記係止ピンに着脱可能に挿入したから、支持部材の一側部を掛止部材に簡便に掛け止められ、またその他側部の二位置を係止ピンに掛け止めて、支持部材を簡易かつ迅速に掛け止めることができる。
請求項６の発明は、前記折り返し片の一片を折り返し、該折り返し部を前記折り返し片の他片に重合して配置し、前記折り返し部に設けた二つの掛止孔を前記係止ピンに着脱可能に挿入したから、支持部材を三層状に積層配置し、これらを係止ピンに掛け止めることによって、支持部材の支持強度を強化することができる。
【発明を実施するための最良の形態】
【００１６】
以下、本発明を子供用の和太鼓演奏用架台に適用した図示の実施形態について説明すると、図１乃至図１０において１は木製の架台で、該架台１の下部に縦枠２と横枠３を平面略Ｔ字形に組み付けた基枠４を有し、該基枠４の先端部に楽器収容空間Ｓを区画する３本の支柱５〜７が立設されている。
【００１７】
前記支柱５〜７は同形の方形断面の角材で構成され、このうち前側支柱５は後側支柱６,７よりも短小に形成され、後側支柱６,７は同長に形成されている。
前記後側支柱６,７の下側は補強枠８で連結され、該補強枠８の中央部と前側支柱５の下側が補強枠９で連結されていて、後述の和太鼓の吊り下げ時、前記補強枠８,９上に和太鼓を載置可能にしている。
図中、１０は縦枠２の前端部と横枠３の両端部に取り付けたキャスタ−で、床面１１上を走行可能にされている。
【００１８】
前記支柱５〜７の上端部に同幅かつ同深の係止溝１２〜１４が形成され、該係止溝１２〜１４は支柱５〜７間に配置される後述の楽器に向かって、略放射方向に形成されている
このうち、係止溝１２は支柱５の上端部の中央に、補強枠９の長さ方向に沿って形成され、その溝底の中央部に金属製の係止ピン１５が突設されている。
【００１９】
前記係止ピン１５は金属棒を所定長さに切断し、これを係止溝１２の溝底に形成した若干小径のピン孔１６に打ち込んで圧入し、その上端部を係止溝１２の上端部に配置している。
また、係止溝１３,１４は支柱６,７の上端部の対角線方向に形成され、その溝底の中央部に金属製の係止ピン１７,１８が突設されている。
【００２０】
前記係止ピン１７,１８は、係止ピン１５と同形の金属棒を所定長さに切断し、これを係止溝１３,１４の溝底に形成した若干小径のピン孔１９,２０に打ち込んで圧入し、その上端部を係止溝１３,１４の上端部に配置している。
図中、２１,２２は係止溝１３,１４の内側端部を斜切したテ−パ部、２３は前記支柱５〜７間に配置した楽器である和太鼓で、実施形態では重量が十数ｋｇの締め太鼓を使用している。
【００２１】
前記締め太鼓２３は略樽状の胴部２４と、該胴部２４の両端開口部に張設した皮製の鼓板２５を備え、該鼓板２５を張設部材である複数のボルト２６で張設している。
すなわち、前記胴部２４の外側に鋼鉄製の環状の締め輪２７が配置され、該締め輪２７に掛止部材として、複数のボルト２６が上下方向に交互に配置され、その螺軸端部にナット２８をねじ込んで、締め輪２７に連結している。
前記ボルト２６は胴部２４に沿わせて緩やかに湾曲し、その先端部にフック２９を形成していて、該フック２９を鼓板２５の外周部に座金３０を介して配置し、鼓板２５の外周内部に配置した補強枠（図示略）に掛け止めている。
【００２２】
図中、３１〜３３は皮または皮革製の帯状の強靭な支持部材である吊りベルトで、その両端部に複数の掛止孔３４,３５を形成している。前記吊りベルト３１〜３３は、支柱５〜７の内側に近接する所定のボルト２６に巻き掛け、その折り返した二片の端部を前記係止溝１２〜１４に挿入し、その掛止孔３４,３４を前記係止ピン１５〜１８に刺し込んでいる。
【００２３】
その際、例えば前記折り返した一側片を係止溝１２〜１４の下側に配置し、掛止孔３４を前記係止ピン１５〜１８に刺し込み、一方、折り返した他側片を若干長尺に設定して端部を折り返し、その折り返し部３６〜３８を前記一側片上に重合し、かつその二つの掛止孔３５を位置合わせして、係止ピン１５〜１８に刺し込んでいる。
なお、前述と反対に前記折り返した他側片を係止溝１２〜１４の下側に配置し、この上に前記折り返した一側片を重合してもよく、そのようにすれば前記一側片の張力によって折り返し部３６〜３８が押圧され、係止ピン１５〜１８に対する拘束力が増大する。
【００２４】
このように構成した楽器用演奏架台を製作する場合は、基枠４の縦枠２と横枠３の端部下面にキャスタ−１０を取り付け、その端部上面に長短二様の支柱５〜７を立設し、その下側に補強枠８,９を連結する。
前記支柱５〜７のうち、前側支柱５を短小側とし、後側支柱６,７を長尺側とし、その上端部に幅広で深底の係止溝１２〜１４を形成し、後側の係止溝１３,１４の内側にテ−パ部２１,２２を形成する。
そして、これらの係止溝１２〜１４を締め太鼓２３の収容位置に向けて略放射状に配置し、係止溝１２〜１４の底部中央に係止ピン１５,１７,１８を突設する。
【００２５】
また、吊りベルト３１〜３３は、皮、合成皮革、合成樹脂、布等の強靭なベルト素材を用い、これを係止溝１２〜１４より若干幅狭に裁断するとともに、その長さを、係止溝１２〜１４と対応するボルト２６の巻き掛け位置との長さの略二倍強に裁断し、その両端部に複数の掛止孔３４,３５を形成して、製作する。
【００２６】
こうして製作した架台１は簡単な構成であるから、これを容易かつ安価に製作でき、しかも大半が木製であるから軽量で、その取り扱いも至便である。
しかも、支柱５〜７の上端部に形成した係止溝１２〜１４は、支柱５〜７間の放射方向に形成され、その一端のみが外側へ開口されているから、両端を外側へ開口するものに比べて、手指等の擦過を防止できる。
更に、係止ピン１５,１７,１８は、支柱５〜７の上端部と同高かそれ以下に形成されているから、手指等の擦過を防止でき、前述と相俟って使用上の安全性を図れる。
【００２７】
このような架台１に楽器演奏に際して、楽器として締め太鼓２３を取り付ける場合は、架台１を締め太鼓２３の搬出位置若しくは保管位置へ移動し、締め太鼓２３を補強枠８,９上に一旦載置する。  
この場合、補強枠８,９は略Ｔ字形状に形成され、補強枠８の上方が開放されているから、前記Ｔ字形状の中央部に締め太鼓２３の鼓板２５を載置して、安定して収容し得る。
【００２８】
次に吊りベルト３１〜３３を用意し、その一つの例えば吊りベルト３２を保持し、これを支柱６に近接する締め太鼓２３の上側のボルト２６の上部に巻き掛け、その折り返し片の一方を係止溝１３に挿入し、その掛止孔３４を係止ピン１７に刺し込む。
この後、前記他方の折り返し片の端部を折り返し、その折り返し部３７を係止溝１３に挿入し、前記折り返し片上に重合するとともに、その上下位置の掛止孔３５,３５を位置合わせし、これらを係止ピン１７に刺し込む。
【００２９】
このようにすると、前記二つの折り返し片に締め太鼓２３の重量が作用して緊張し、この折り返し部３７が密着するとともに、その張力によって下側の折り返し片を圧接し、三層状に積層した折り返し片の移動を阻止する。
しかも、前記折り返し片は、三箇所の掛止孔３４,３５が係止ピン１７に掛け止められ、その張設方向の移動を阻止されて、締め太鼓２３の上下移動を阻止する。
【００３０】
この状況は図７および図８のようで、吊りベルト３２の端部は係止溝１３内に略収容され、手指の擦過を未然に防止でき、また下側の折り返し片はテ−パ部２１に係合して、当該部の鋭角的な隅角部との接触を回避し、その磨耗を未然に防止する一方、テ−パ部２１の上側角部と係合して、吊りベルト３２の緊張を保持し、そのずり下がりを防止する。
【００３１】
この場合、前述と反対に前記折り返した他側片を係止溝１２〜１４の下側に配置し、この上に前記折り返した一側片を重合してもよく、そのようにすれば前記一側片の張力によって折り返し部３７が押圧され、係止ピン１７に対する拘束力が増大する。
【００３２】
こうして、係止溝１３に吊りベルト３２を掛け止め後、隣接する支柱７の係止溝１４に吊りベルト３３を取り付ける。この場合は、吊りベルト３３を保持し、これを支柱７に近接する締め太鼓２３の上側のボルト２６の上部に巻き掛け、その折り返し片の一方を係止溝１４に挿入し、その掛止孔３４を係止ピン１８に刺し込む。
【００３３】
この後、前記他方の折り返し片の端部を折り返し、その折り返し部３８を係止溝１４に挿入し、前記折り返し片上に重合するとともに、その上下位置の掛止孔３５,３５を位置合わせし、これらを係止ピン１８に刺し込む。
【００３４】
このようにすると、前記二つの折り返し片に締め太鼓２３の重量が作用して緊張し、この折り返し部３８が密着するとともに、その張力によって下側の折り返し片を圧接し、三層状に積層した折り返し片の移動を阻止する。
しかも、前記折り返し片は、三箇所の掛止孔３４,３５が係止ピン１７に掛け止められ、その張設方向の移動を阻止されて、締め太鼓２３の上下移動を阻止する。
この状況は図７および図８と実質的に同様で、その作用効果も吊りベルト３２の場合と同じである。
【００３５】
前記係止溝１４に吊りベルト３３を掛け止め後、隣接する支柱５の係止溝１１２に吊りベルト３１を取り付ける。この場合は、吊りベルト３１を保持し、これを支柱５に近接する締め太鼓２３の下側のボルト２６の上部に巻き掛け、その折り返し片の一方を係止溝１２に挿入し、その掛止孔３４を係止ピン１５に刺し込む。
【００３６】
この後、前記他方の折り返し片の端部を折り返し、その折り返し部３６を係止溝１２に挿入し、前記折り返し片上に重合するとともに、その上下位置の掛止孔３５,３５を位置合わせし、これらを係止ピン１５に刺し込む。
【００３７】
このようにすると、前記二つの折り返し片に締め太鼓２３の重量が作用して緊張し、この折り返し部３６が密着するとともに、その張力によって下側の折り返し片を圧接し、三層状に積層した折り返し片の移動を阻止する。
しかも、前記折り返し片は、三箇所の掛止孔３４,３５が係止ピン１５に掛け止められ、その張設方向の移動を阻止されて、締め太鼓２３の上下移動を阻止する。
この状況は図９および図１０のようで、その作用効果も吊りベルト３２,３３の場合と実質的に同じである。
【００３８】
この場合、吊りベルト３１は吊りベルト３２,３３に比べて、緩やかに傾斜して取り付けられ、下側の折り返し片が係止溝１２の内側の角部に緩慢に接触しているから、前記接触による磨耗を抑制する。したがって、前記磨耗の心配を完全に払拭する場合は、当該部に前述のテ−パ部を形成することが望ましい。
【００３９】
このように締め太鼓２３の取り付けに際しては、締め太鼓２３を補強枠８,９に一旦載置して行なっているから、締め太鼓２３を終始保持する労力の負担を免れる。
また、３本の吊りベルト３１〜３３を締め太鼓２３の適宜なボルト２６に巻き掛け、その二つの折り返し片の端部を各係止溝１２〜１４に挿入し、その掛止孔３４,３５を係止ピン１５〜１８に刺し込めば良いから、この作業は頗る簡単である。
【００４０】
しかも、掛止孔３４,３５の掛け止め位置を変えることによって、締め太鼓２３の吊り下げ位置や吊りベルト３１〜３３の張力を簡便に調整できるから、従来の吊り紐による緊縛法のような熟練を要せず、これを簡便に行なえる。
【００４１】
こうして締め太鼓２３は、支柱５〜７の間に３本の吊りベルト３１〜３３によって吊り下げられ、その状況は図１および図２のようである。
すなわち、締め太鼓２３は、前側の支柱５側を下位にし、後側の支柱６,７側を同高の上位にして、前下がり状態で吊り下げられる。
【００４２】
こうして取り付けた締め太鼓２３を演奏する場合は、前記架台１をキャスタ−１０を介して所定の演奏位置へ移動し、その前部に締め太鼓２３に向かって演奏者が立ち構え、鼓板２５を打ち叩くことによって演奏される。
【００４３】
その場合、鼓板２５が前下がり状態に置かれているから、これが水平状態の場合に比べて、締め太鼓２３から一定位置かつ低位置で演奏でき、幼児や子供の演奏に好適である。
【００４４】
このような演奏時は、ばちの衝撃によって締め太鼓２３が動揺し、吊りベルト３１〜３３が各係止ピン１５,１７,１８を支点に同動する。
その際、吊りベルト３１〜３３は、その側部が係止溝１２〜１４の内面に係合可能に位置しているから、その幅方向への振幅が阻止され、また係止溝１２〜１４での磨耗を抑制され、締め太鼓２３の動揺を抑える。したがって、演奏者は安定した姿勢で演奏し得る。
しかも、締め太鼓２３は上下の鼓板２５を解放して取り付けられているから、上下の鼓板２５の振動や共鳴が維持され、音色を損なうことがない。
【産業上の利用可能性】
【００４５】
このように本発明の楽器用演奏架台は、熟練を要することなく、また楽器の音色を損なわず容易かつ安全に支持できるから、例えば和太鼓用架台に好適である。
【図面の簡単な説明】
【００４６】
【図１】本発明を適用した架台に締め太鼓を取り付けた状況を示す斜視図である。
【図２】図１の平面状態を示す斜視図である。
【図３】本発明を適用した演奏架台の一例を示す斜視図である。
【図４】本発明を適用した演奏架台の一例を示す正面図である。
【図５】本発明を適用した演奏架台の一例を示す平面図である。
【図６】図３の右側面図である。
【００４７】
【図７】図５のＡ−Ａ線に沿う断面図で、若干拡大して示している。
【図８】図５のＢ−Ｂ線に沿う断面図で、若干拡大して示している。
【図９】図５のＣ−Ｃ線に沿う断面図で、若干拡大して示している。
【図１０】図５のＤ−Ｄ線に沿う断面図で、若干拡大して示している。
【符号の説明】
【００４８】
１              架台
４              基枠
５〜７          支柱
８,９           補強枠
１２〜１４      係止溝
１５,１７,１８  係止ピン
２１,２２       テ−パ部
２３            楽器（締め太鼓）
２６            掛止部材（ボルト）
３１〜３３      支持部材（吊りベルト）  
３４,３５       掛止孔
３６〜３８      折り返し部
Ｓ              楽器収容空間
【図１】
2006349880.tif 000003
【図２】
2006349880.tif 000004
【図３】
2006349880.tif 000005
【図４】
2006349880.tif 000006
【図５】
2006349880.tif 000007
【図６】
2006349880.tif 000008
【図７】
2006349880.tif 000009
【図８】
2006349880.tif 000010
【図９】
2006349880.tif 000011
【図１０】
2006349880.tif 000012